【事件の表示】
　商願２００８−３５７１９拒絶査定不服審判事件について、次のとおり審決する。
【結　論】
　原査定を取り消す。
　本願商標は、登録すべきものとする。
【理　由】
１　本願商標
　本願商標は、「Ｐｅｔｉｔ　Ｌｉｏｎ」の欧文字と「プチライオン」の片仮名文字を上下二段に横書きしてなり、第３類、第２１類及び第２４類に属する願書に記載のとおりの商品を指定商品として、平成２０年５月９日に登録出願され、指定商品については、原審において同２１年１月５日付け提出の手続補正書によって第３類「家庭用帯電防止剤，洗濯用柔軟剤，洗濯用漂白剤，せっけん類，歯磨き，化粧品，香料類，つけづめ，つけまつ毛」、第２１類「清掃用具及び洗濯用具，化粧用具，食器類，洋服ブラシ」及び第２４類「布製身の回り品」と補正されたものである。
　
２　原査定の拒絶の理由の要点
　原査定において、本願の拒絶の理由に引用した登録商標は、以下のとおりであり、現に有効に存続しているものである。
（１）登録第１６２１５０５号商標（以下、「引用商標１」という。）は、「ライオン」の片仮名文字と「ＬＩＯＮ」の欧文字を上下二段に横書きしてなり、昭和５５年６月１０日に登録出願され、第１６類に属する商標登録原簿記載のとおりの商品を指定商品として、同５８年１０月２７日に設定登録されたものである。その後、２度に亘り商標権の存続期間の更新登録がなされ、指定商品については、平成１６年９月２９日に第１７類「石綿織物，石綿製フェルト」、第２４類「織物，メリヤス生地，フェルト及び不織布，オイルクロス，ゴム引防水布，ビニルクロス，ラバークロス，レザークロス，ろ過布」及び第２６類「テープ，リボン，編みレース生地，刺しゅうレース生地，房類」を指定商品とする書換登録がなされたものである。
（２）登録第２７０２９５５号商標（以下、「引用商標２」という。）は、「ライオン」の片仮名文字と「ＬＩＯＮ」の欧文字を上下二段に横書きしてなり、昭和６２年８月２８日に登録出願され、第１９類に属する商標登録原簿記載のとおりの商品を指定商品として、平成７年１月３１日に設定登録されたものである。その後、同１６年１２月７日に商標権の存続期間の更新登録がなされ、指定商品については、同１７年８月１０日に第５類「はえ取り紙」、第６類「金属製家庭用水槽，金属製工具箱」、第８類「アイロン（電気式のものを除く。），糸通し器，チャコ削り器，五徳，十能，火消しつぼ，火ばし，護身棒」、第１０類「しびん，病人用便器」、第１１類「ガス湯沸かし器，加熱器，調理台，流し台，アイスボックス，氷冷蔵庫，浴槽類，あんか，かいろ，かいろ灰，湯たんぽ，洗浄機能付き便座，洗面所用消毒剤ディスペンサー，便器，和式便器用いす」、第１４類「貴金属製針箱」、第１６類「型紙，裁縫用チャコ，靴下の型崩れ防止用台紙」、第１９類「石製家庭用水槽」、第２０類「ししゅう用枠，家庭用水槽（金属製又は石製のものを除く。），工具箱（金属製のものを除く。）」、第２１類「なべ類，コーヒー沸かし（電気式又は貴金属製のものを除く。），鉄瓶，やかん，携帯用アイスボックス，米びつ，食品保存用ガラス瓶，水筒，魔法瓶，アイロン台，霧吹き，こて台，へら台，湯かき棒，浴室用腰掛け，浴室用手おけ，はえたたき」、第２４類「シャワーカーテン」、第２６類「編み棒，裁縫箱，裁縫用へら，裁縫用指抜き，針刺し，針箱（貴金属製のものを除く。）」及び第２７類「洗い場用マット」を指定商品とする書換登録がなされたものである。
（３）登録第２７０２９５６号商標（以下、「引用商標３」という。）は、別掲のとおりの構成よりなり、昭和６２年８月２８日に登録出願され、第１９類に属する商標登録原簿記載のとおりの商品を指定商品として、平成７年１月３１日に設定登録されたものである。その後、同１６年１２月７日に商標権の存続期間の更新登録がなされ、指定商品については、同１７年８月１０日に第５類「はえ取り紙」、第６類「金属製家庭用水槽，金属製工具箱」、第８類「アイロン（電気式のものを除く。），糸通し器，チャコ削り器，五徳，十能，火消しつぼ，火ばし，護身棒」、第１０類「しびん，病人用便器」、第１１類「ガス湯沸かし器，加熱器，調理台，流し台，アイスボックス，氷冷蔵庫，浴槽類，あんか，かいろ，かいろ灰，湯たんぽ，洗浄機能付き便座，洗面所用消毒剤ディスペンサー，便器，和式便器用いす」、第１４類「貴金属製針箱」、第１６類「型紙，裁縫用チャコ，靴下の型崩れ防止用台紙」、第１９類「石製家庭用水槽」、第２０類「ししゅう用枠，家庭用水槽（金属製又は石製のものを除く。），工具箱（金属製のものを除く。）」、第２１類「なべ類，コーヒー沸かし（電気式又は貴金属製のものを除く。），鉄瓶，やかん，携帯用アイスボックス，米びつ，食品保存用ガラス瓶，水筒，魔法瓶，アイロン台，霧吹き，こて台，へら台，湯かき棒，浴室用腰掛け，浴室用手おけ，はえたたき」、第２４類「シャワーカーテン」、第２６類「編み棒，裁縫箱，裁縫用へら，裁縫用指抜き，針刺し，針箱（貴金属製のものを除く。）」及び第２７類「洗い場用マット」を指定商品とする書換登録がなされたものである。
（４）登録第４０９４０１８号商標（以下、「引用商標４」という。）は、「ＬＩＯＮ＆ＬＩＯＮ」の文字を横書きしてなり、平成２年３月２２日に登録出願され、第１１類に属する商標登録原簿記載のとおりの商品を指定商品として、同９年１２月１９日に設定登録されたものである。同１９年１２月１８日に商標権の存続期間の更新登録がなされ、指定商品については、同２０年６月１１日に第７類「家庭用食器洗浄機，家庭用電気式ワックス磨き機，家庭用電気洗濯機，家庭用電気掃除機，電気ミキサー，起動器，交流電動機及び直流電動機（陸上の乗物用の交流電動機及び直流電動機（その部品を除く。）を除く。），交流発電機，直流発電機，電機ブラシ」、第８類「電気かみそり及び電気バリカン」、第９類「配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極」、第１０類「家庭用電気マッサージ器」、第１１類「電球類及び照明用器具，家庭用電熱用品類」、第１２類「陸上の乗物用の交流電動機又は直流電動機（その部品を除く。）」、第１７類「電気絶縁材料」及び第２１類「電気式歯ブラシ」を指定商品とする書換登録がなされたものである。
　
３　当審の判断
　本願商標は、上記１のとおり、「Ｐｅｔｉｔ　Ｌｉｏｎ」の欧文字と「プチライオン」の片仮名文字を上下二段に横書きしてなるところ、「Ｐｅｔｉｔ　Ｌｉｏｎ」及び「プチライオン」の各構成文字は、同書、同大で外観上まとまりよく一体に表わされており、しかも構成文字全体より生じる「プチライオン」の称呼も、よどみなく一連に称呼し得るものである。
　さらに、本願商標の構成文字中、「Ｐｅｔｉｔ」「プチ」の文字が「小さい、かわいい」等の意味を有し、「Ｌｉｏｎ」「ライオン」の文字が「ネコ科の哺乳類。獅子。」の意味を有しているものであるから、全体として「小さいライオン」又は「かわいいライオン」程の観念が生じるものである。
　そうとすれば、本願商標構成中の「Ｐｅｔｉｔ」「プチ」の文字部分を殊更、捨象する理由は見出せないから、本願商標はその構成全体に照応して「プチライオン」の称呼及び「小さいライオン」又は「かわいいライオン」程の観念で一体不可分のものとしてとらえ、構成文字全体をもって取引に資されると判断するのが相当である。
　したがって、本願商標から、「ライオン」の称呼をも生じると認定し、その上で本願商標と各引用商標が称呼上類似するものとして、本願商標が商標法第４条第１項第１１号に該当するとした原査定は妥当ではなく、取消しを免れない。
　なお、引用商標１ないし３については、本願指定商品が上記１のとおり補正された結果、各引用商標と抵触する商品が削除されたため、拒絶の理由は解消したものである。
　その他、政令で定める期間内に本願について拒絶の理由を発見しない。
　よって、結論のとおり審決する。